【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
複数のヘッドホンセット間で再生データを共有するデータ再生装置であって：
前記再生データを第１のヘッドホンセットに送信する送信ユニットと；
第２のヘッドホンセットが前記再生データを受信する権利を有するか否かを確認するために、前記データ再生装置又は前記第１のヘッドホンセットの近くに存在する第２のヘッドホンセットを検出する検出ユニットと；
確認の成功の後に、前記再生データを前記第２のヘッドホンセットに送信する手段と；
を有する装置。
【請求項２】
前記再生データを受信する権利の確認を実行するために、暗号機能を提供する暗号ユニットを更に有する請求項１に記載の装置。
【請求項３】
前記暗号ユニットは、前記第２のヘッドホンセットと通信を確立するために、前記第２のヘッドホンセットから受信したデジタルデータに適用する少なくとも１つの予めプログラムされた暗号／復号鍵を有する請求項２に記載の装置。
【請求項４】
前記第２のヘッドホンセットに提供されるRFIDタグの機械読取可能シンボルを確認するRFIDリーダを更に有する請求項１に記載の装置。
【請求項５】
前記少なくとも１つのヘッドホンセットは装着可能衣服に統合される請求項１に記載の装置。
【請求項６】
前記第１及び第２のヘッドホンセットは無線ヘッドホンである請求項１に記載の装置。
【請求項７】
複数のヘッドホンセット間でデータを共有する方法であって：
データ再生ユニットと第１のヘッドホンセットとの間で通信接続を確立するステップと；
第２のヘッドホンセットを検出し、前記第２のヘッドホンセットが前記データ再生ユニットからのデータ送信を受信する権利を有するか否かを決定するステップと；
決定の成功の場合に、前記第２のヘッドホンセットへのデータ伝送を送信するステップと；
を有する方法。
【請求項８】
前記検出は、前記第２のヘッドホンセットから受信したデジタルデータに暗号／復号鍵を適用することにより確認される請求項７に記載の方法。
【請求項９】
前記検出は、前記第２のヘッドホンセットに提供されるRFIDタグの機械読取可能シンボルの確認のときに確認される請求項７に記載の方法。
【請求項１０】
前記第１及び第２のヘッドホンセットは無線ヘッドホンである請求項７に記載の方法。
【請求項１１】
前記少なくとも１つのヘッドホンセットは装着可能衣服に統合される請求項７に記載の方法。
【請求項１２】
複数の無線ヘッドホンセットの間で再生データを共有するデータ再生装置であって：
前記再生データを第１の無線ヘッドホンセットに送信する送信ユニットと；
第２のヘッドホンセットに提供されるRFIDタグの機械読取可能シンボルを確認するRFIDリーダを有する検出ユニットであり、前記第２の無線ヘッドホンセットが前記再生データを受信する権利を有するか否かを確認するために、前記データ再生装置又は前記第１のヘッドホンセットの近くに存在する前記第２の無線ヘッドホンセットを検出する検出ユニットと；
確認の成功の後に、前記再生データを前記第２のヘッドホンセットに送信する手段と；
を有する装置。
【請求項１３】
前記再生データを受信する権利の確認を実行するために、暗号機能を提供する暗号ユニットを更に有する請求項１２に記載の装置。
【請求項１４】
前記暗号ユニットは、前記第２のヘッドホンセットと通信を確立するために、前記第２のヘッドホンセットから受信したデジタルデータに適用する少なくとも１つの予めプログラムされた暗号／復号鍵を有する請求項１３に記載の装置。
【請求項１５】
前記少なくとも１つのヘッドホンセットは装着可能衣服に統合される請求項１３に記載の装置。
【請求項１６】
複数の無線ヘッドホンセット間でデータを共有する方法であって：
データ再生ユニットと第１の無線ヘッドホンセットとの間で通信接続を確立するステップと；
第２のヘッドホンセットに提供されるRFIDタグの機械読取可能シンボルを確認するRFIDリーダを使用して、第２の無線ヘッドホンセットを検出し、前記第２のヘッドホンセットが前記データ再生ユニットからのデータ送信を受信する権利を有するか否かを決定するステップと；
決定の成功の場合に、前記第２のヘッドホンセットへのデータ伝送を送信するステップと；
を有する方法。
【請求項１７】
前記検出は、前記第２のヘッドホンセットから受信したデジタルデータに暗号／復号鍵を適用することにより確認される請求項１６に記載の方法。
【請求項１８】
前記少なくとも１つのヘッドホンセットは装着可能衣服に統合される請求項１６に記載の方法。
【請求項１９】
複数のヘッドホンセット間でデータを共有する方法であって：
外部ヘッドホンセットの少なくとも１つのイヤホンをデータ再生ユニット又は前記データ再生ユニットに関連する第１のヘッドホンセットの空間的に近くに動かし、前記外部ヘッドホンセットと前記データ再生ユニットとの間で通信接続を確立するステップと；
前記外部ヘッドホンセットと前記データ再生ユニット又は前記第１のヘッドホンセットのうち１つとの間で共通の暗号鍵を交換するステップと；
前に交換された共通の暗号鍵を使用して、前記データ再生ユニットで信号のストリームをエンコードするステップと；
前記データ再生ユニットにより、前記外部ヘッドホンセットが前記データ再生ユニットからデータ送信を受信する権利を有するか否かを決定するステップと；
決定の成功の場合に、前記外部ヘッドホンセットへのデータ伝送を送信し、公開鍵に関連する秘密鍵を使用して、前記外部ヘッドホンセットで前記データ再生ユニットからのデータ送信をデコードするステップと；
を有する方法。
【請求項２０】
複数のヘッドホンセット間でデータを共有する方法であって：
外部ヘッドホンセットの少なくとも１つのイヤホンをデータ再生ユニット又は前記データ再生ユニットに関連する第１のヘッドホンセットの空間的に近くに動かし、前記外部ヘッドホンセットと前記データ再生ユニットとの間で通信接続を確立するステップと；
前記外部ヘッドホンセットと前記データ再生ユニットとの間で共通の暗号鍵を交換するステップと；
前記外部ヘッドホンセットの秘密鍵を使用して、前記外部ヘッドホンセットのIDを前記データ再生ユニットに伝送するステップと；
前記データ再生ユニットにより、前記外部ヘッドホンセットのIDを判定し、前記外部ヘッドホンセットが前記データ再生ユニットからデータ送信を受信する権利を有するか否かを決定するステップと；
データ再生装置での前記外部ヘッドホンセットのIDの決定の成功の場合に、前記データ再生ユニットと前記外部ヘッドホンセットとの間の通信接続を可能にするステップと；
を有する方法。
【請求項２１】
複数のヘッドホンセット間でデータを共有する方法であって：
外部ヘッドホンセットの少なくとも１つのイヤホンをデータ再生ユニット又は前記データ再生ユニットに関連する第１のヘッドホンセットの空間的に近くに動かすステップと；
前記外部ヘッドホンセットと前記データ再生ユニットとの間で通信接続を確立するステップと；
前記データ再生ユニットにより、前記外部ヘッドホンセットが前記データ再生ユニットからデータ送信を受信する権利を有するか否かを決定するステップと；
決定の成功の場合に、前記第１のヘッドホンセットを介して前記データ再生ユニットから前記外部ヘッドホンセットへのデータ伝送を送信するステップと；
を有する方法。